(57)【要約】      （修正有）【課題】支柱の取扱いに面倒なナット操作が不要となる支柱の起立・転倒装置を提供する。【解決手段】支柱５を立てるベース盤１に支柱をそえる起立基材３を着設し、支柱の下端部に、その起立・転倒の中心となる頭部付き移動ピン１０を下端よりもやや上になる位置で突設し、ベース盤には、起立基材の根元当りに支柱の下端が起立して落ち込む下孔９を設け、起立基材には、支柱が下孔に着脱する範囲において上下可能に移動ピンを係合させる逆Ｕ字形の反転溝１３を設け、その逆Ｕ字形の一端を移動ピンが掛かる閉止端１５として形成し、他端には下方へ移動ピンを案内し得るよう縦長溝１７が延長して形成され、その延長端を支柱の倒伏時における移動ピンの係合部とした。【選択図】図１
0003205152.tif 000002
【実用新案登録請求の範囲】
【請求項１】
支柱を立てるベース盤に支柱をそえる起立基材を着設し、支柱の下端部に、その起立・転倒の中心となる頭部付き移動ピンを下端よりもやや上になる位置で突設し、ベース盤には、起立基材の根元当りに支柱の下端が起立して落ち込む下孔を設け、起立基材には、支柱が下孔に着脱する範囲において上下可能に移動ピンを係合させる逆Ｕ字形の反転溝を設け、その逆Ｕ字形の一端を移動ピンが掛かる閉止端として形成し、他端では下方へ移動ピンを案内し得るよう縦長溝が延長して形成され、その延長端を支柱の倒伏時における移動ピンの係合部としたことを特徴とする支柱の起立・転倒装置。
【請求項２】
縦長溝の中途に移動ピンが出入りする分枝路を設け、分枝路の端に軸ピンの頭部が抜ける大きさの出入口が拡張して形成されていることを特徴とする請求項１記載の支柱の起立・転倒装置。
【請求項３】
ベース盤が荷物を載せるラック盤であって、荷物の転倒防止のため前後に左右一対ずつ起立基材を立設してなり、左右両起立基材についてそれぞれ支柱が向い合わせに倒伏可能に具備してなることを特徴とする折り畳み式ラックにおける請求項１または２記載の支柱の起立・転倒装置。
【考案の詳細な説明】
【技術分野】
【０００１】
この考案は、例えば、折り畳み式ラック等において支柱の起立状態と転倒状態との相互変換を簡単に手操作できるようにするための支柱の起立・転倒装置に関する。
【背景技術】
【０００２】
折り畳み式ラックは、荷物を載せるベース盤(ラック盤)の前後両端に左右一対の支柱を立設するとともに、左右で向合せに倒して折り畳みできるようにしたもので、従来、支柱を起立・転倒させるための装置は、ベース盤５０の上に支柱５２，５２を転倒可能に軸承する起立基材５４を立設し、起立基材に縦長溝５６を設け、その上方に上端開口の口受溝５８を形成したもので、支柱５２には、縦長溝５６に上下可能に係合する頭部６１付き下部ピン６０と、口受溝５８に落し入れる頭部付き上部ピン６２とが突設されていたので、支柱５２を持ち上げることにより上部ピン６２を外して、支柱５２を転倒できるものであった。
【考案の概要】
【考案が解決しようとする課題】
【０００３】
上記のような従来の支柱の起立・転倒装置によれば、支柱は、起立基材５４に上下ピン６０，６２の２点で直立に支持されるが、上のピン６２が口受溝５８から外れやすく、不用意に転倒するおそれがあった。これを防止するために、下部ピン６０としてねじボルトを使用し、これにナットを頭部６１として取り付け、その締付けにより上下不能に固定できるようにしていたが、支柱の取付け取外しや起立・転倒操作の際に、その都度なすことになるこのナット操作が面倒であり、使用上非能率的となっていた。
【０００４】
この考案は、上記の実情に鑑みて、支柱の取扱いに面倒なナット操作が不要となる支柱の起立・転倒装置を提供することを課題とした。
【課題を解決するための手段】
【０００５】
この考案は、上記の課題を解決するために、支柱を立てるベース盤に支柱をそえる起立基材を着設し、支柱の下端部に、その起立・転倒の中心となる頭部付き軸ピンを下端よりもやや上になる位置で突設し、ベース盤には、起立基材の根元当りに支柱の下端が起立して落ち込む下孔を設け、起立基材には、支柱が下孔に着脱する範囲において上下可能に移動ピンを係合させる逆Ｕ字形の反転溝を設け、その逆Ｕ字形の一端を移動ピンが掛かる閉止端として形成し、他端では下方へ移動ピンを案内し得るよう縦長溝が延長して形成され、その延長端を支柱の倒伏時における移動ピンの係合部としたことを特徴とする支柱の起立・転倒装置を提供する。
【０００６】
支柱の起立・転倒装置を上記のように構成したから、軸ピンを中心に起立・転倒をなし得るものであるが、軸ピンは反転溝で移動により上下できるので、それを一端の閉止部に移動させながら支柱を下穴に下して転倒しない二点支持の状態が得られ、また、移動ピンを縦長溝に沿わせて低い位置に移転し、支柱を低めながら伏した状態に転倒できる。
【考案の効果】
【０００７】
以上説明したように、この考案によれば、起立基材に対して支柱を取り付けてしまうと、閉塞した溝との係合が保持されるため、面倒なナット操作を要することなく、起立の安定した状態を保持でき、転倒・起立間の操作も容易にでき、低い位置に支柱を倒伏もできるという優れた効果がある。
【０００８】
また、請求項２によれば、主流の縦長溝から外れた分枝路に移動ピンの頭部を通す出入口を設けたので、支柱の取付け取り外しについてもナット操作が不要であり、閉じた溝との係合が保持されるため、不用意に支柱が外れるおそれもない。
【図面の簡単な説明】
【０００９】
【図１】この考案の支柱の起立・転倒装置を示す分解斜視図である。
【図２】同考案を実施した折り畳み式ラックを支柱の起立状態で示す正面図である。
【図３】同ラックを支柱の倒伏状態で示す正面図である。
【図４】同ラックの支柱の起立状態で示す側面図である。
【図５】図４のＡ部の拡大図である。
【図６】従来例の説明図である。
【考案を実施するための形態】
【００１０】
支柱の折り畳み式ラックの使用においては、荷物の積み下しや保管において、支柱の取付け取り外しや起立・転倒操作が頻繁に必要であるので、この考案を有効に実施でき、殊にナット操作が不要となるので、作業能率を格段に高めることができる。なお、図示では移動ピン１０のピン断面を黒塗りで示す。
【実施例】
【００１１】
図１〜図５は、折り畳み式ラックについて実施したもので、折り畳み式ラックＰは、荷物を載せるベース盤１が主体であり、その前後両端に左右一対ずつ起立基材３，３が立設され、それぞれにピン連結される複数の支柱５，５が具備される。
【００１２】
ベース盤１は、パレット、架台、ラック等と称されるもので、金属製の形材７，７、・・を骨組みとして上下に板材を張りあわせて構成され、前後両端に一対ずつ設けられる起立基材３の各内側根元位置には、支柱５の差込みをなし得る下穴９が形成されている。
【００１３】
起立基材３は、金属板でプレス加工されたもので、左右幅であってやや縦長に形成され、両側には外に屈折するリブ１１、１１が形成されている。支柱５とは溝係合させるので、これについては上端部に逆Ｕ字形の反転溝１３が形成され、その一端が閉止部１５となっているが、他端が下へ延長され下端近くにまでいたる縦長溝１７が連続して形成されている。また、縦長溝１７の中間部には、横に分枝路１９が形成され、分枝路１９の先端に移動ピン１０の頭部１２が抜ける拡張した出入口２１が形成される。
【００１４】
ベース盤１に支柱５を取り付けるには、この出入口２１に移動ピン１０を頭部１２から差し込み、溝をたどって移動ピンを反転溝１３の上端に至らせてから、支柱５を立てながら下端２０を下穴９に嵌めると、移動ピン１０が反転溝１３の閉止部１５に至って停止する。これで、支柱５は、移動ピン１０の停止と、下穴９に対する嵌合との２点支持となり、自重でこの状態が保持されるため、支柱５は転倒しない起立状態を保持する。また、移動ピン１０は、普通の状態では、主流から外れた分枝路１９に至ることが困難なので、出入口２１から抜けるということはなく、支柱５は、転倒することはなく安全に起立状態を保持する。
【００１５】
起立状態から転倒するには下穴９から支柱５の下端２０抜き上げるが、伏すため移動ピン１０を低くする必要があるので、支柱５を倒しながら移動ピン５を縦長溝１７に沿って下す。なお、この場合、左右いずれか他方の支柱５が先に倒伏されていると、その上に重なるので、両方で支柱５，５の折り畳み状態となる。
【００１６】
ベース盤１には、両起立基材３，３の間には仕舞った支柱５が外れるのを防ぐ防護板２３が配置され、それに支柱５の先ピン２５が落し込まれ切欠き溝２７が形成されている。
【符号の説明】
【００１７】
Ｐ  支柱の起立・転倒装置を装備した折り畳み式ラック
１  ベース盤
３  起立部材
５  支柱
９  下穴
１０  移動ピン
１２  頭部
１３  反転溝
１５  閉止部
１７  縦長溝
１９  分枝路
２０  下端
２１  出入口
【図１】
0003205152.tif 000003
【図２】
0003205152.tif 000004
【図３】
0003205152.tif 000005
【図４】
0003205152.tif 000006
【図５】
0003205152.tif 000007
【図６】
0003205152.tif 000008